(57)【特許請求の範囲】
【請求項１】
上部に開口部を有する略筒状の排水管部を有し、温室のシートを固定するシート止め材の下方に配設される樋と、前記シート止め材が架設される骨組材に係止されると共に、前記樋の排水管部の内周に係合して該樋を支持する支持部材と、前記樋により回収された結露水を排水処理する手段とを具備することを特徴とする結露排水装置。
【請求項２】
上部に開口部を有する略筒状の排水管部を有し、温室のシートを固定するシート止め材の下方に配設される樋と、前記シート止め材に係止されると共に、前記樋の排水管部の内周に係合して該樋を支持する支持部材と、前記樋により回収された結露水を排水処理する手段とを具備することを特徴とする結露排水装置。
【請求項３】
請求項１記載の結露排水装置であって、前記樋は、さらに、所定の幅を有し、前記樋の排水管部の一方の上縁部から屈曲して、上方へ傾斜して延在する第１の傾斜片と、該第１の傾斜片の幅よりも小さい幅を有し、前記樋の排水管部の他方の上縁部から屈曲して、上方へ傾斜して延在する第２の傾斜片とを備えて構成されていることを特徴とする結露排水装置。
【請求項４】
請求項２記載の結露排水装置であって、前記樋は、さらに、所定の幅を有し、前記樋の排水管部の一方の上縁部から屈曲して、上方へ傾斜して延在する第１の傾斜片と、該第１の傾斜片の幅よりも小さい幅を有し、前記樋の排水管部の他方の上縁部から屈曲して、上方へ傾斜して延在する第２の傾斜片とを備えて構成されていることを特徴とする結露排水装置。
【請求項５】
請求項３記載の結露排水装置であって、前記支持部材は、鋼線を螺旋状に巻いて形成され、前記樋の排水管部に係合する係合部と、該係合部の一端から前記樋の第１の傾斜片に沿うように直線状に延長すると共に、中途で折り曲げられ、さらに、先端部が湾曲した形状に形成され、前記骨組材に係止される第１の係止部と、前記係合部の他端から前記樋の第２の傾斜片に沿うように直線状に延長すると共に、先端部が湾曲した形状に形成され、前記骨組材に係止される第２の係止部とを備えて構成されていることを特徴とする結露排水装置。
【請求項６】
請求項２又は４記載の結露排水装置であって、前記支持部材は、鋼線を螺旋状に巻いて形成され、前記樋の排水管部に係合する係合部を有する係合用部材と、該係合用部材が連結されると共に、前記シート止め材に係止される係止用部材とを備えて構成されていることを特徴とする結露排水装置。
【請求項７】
請求項５又は６記載の結露排水装置であって、前記支持部材の係合部が、前記樋の排水管部内において回転可能な幅を有して形成されていることを特徴とする結露排水装置。
【請求項８】
請求項１、３又は５記載の結露排水装置であって、前記支持部材は、下端部に略円弧状に形成された係合部を有すると共に、胴体部に長孔を有する取付位置調整部材と、前記骨組材に掛けられる略Ｕ字状の係止具及び該係止具と結合して該骨組材を抱持する固定片からなる係止部材と、前記取付位置調整部材の長孔に、該長孔に沿って相対的に移動可能に挿通され、取付位置調整部材と係止部材とを連結する連結部材とを備えて構成されていることを特徴とする結露排水装置。
【請求項９】
請求項１〜８のいずれか１に記載の結露排水装置であって、前記排水処理手段は、排水口及びこれに連通する排水ノズルを有するジョイント部材と、該ジョイント部材の排水ノズルに取り付けられる排水ホースとを備えて構成されていることを特徴とする結露排水装置。
【請求項１０】
結露排水装置に用いられ、上部に開口部を有する略筒状の排水管部を有する樋の支持部材であって、温室のシートを固定するシート止め材に係止されると共に、前記樋の排水管部の内周に係合して該樋を支持することを特徴とする支持部材。
【請求項１１】
結露排水装置に用いられ、上部に開口部を有する略筒状の排水管部を有する樋の支持部材であって、温室のシートを固定するシート止め材が架設される骨組材に係止されると共に、前記樋の排水管部の内周に係合して該樋を支持することを特徴とする支持部材。
【請求項１２】
請求項１０記載の支持部材であって、鋼線を螺旋状に巻いて形成され、前記樋の排水管部に係合する係合部を有する係合用部材と、該係合用部材が連結されると共に、前記シート止め材に係止される係止用部材とを備えて構成されていることを特徴とする支持部材。
【請求項１３】
結露排水装置に用いられ、上部に開口部を有する略筒状の排水管部と、所定の幅を有し、前記排水管部の一方の上縁部から屈曲して、上方へ傾斜して延在する第１の傾斜片と、該第１の傾斜片の幅よりも小さい幅を有し、前記排水管部の他方の上縁部から屈曲して、上方へ傾斜して延在する第２の傾斜片とを備えて構成される樋の支持部材であって、温室のシートを固定するシート止め材が架設される骨組材に係止されると共に、前記樋の排水管部の内周に係合して該樋を支持することを特徴とする支持部材。
【請求項１４】
請求項１３記載の支持部材であって、鋼線を螺旋状に巻いて形成され、前記樋の排水管部に係合する係合部と、該係合部の一端から前記樋の第１の傾斜片に沿うように直線状に延長すると共に、中途で折り曲げられ、さらに、先端部が湾曲した形状に形成され、前記骨組材に係止される第１の係止部と、前記係合部の他端から前記樋の第２の傾斜片に沿うように直線状に延長すると共に、先端部が湾曲した形状に形成され、前記骨組材に係止される第２の係止部とを備えて構成されていることを特徴とする支持部材。
【請求項１５】
請求項１２又は１４記載の支持部材であって、前記係合部が、前記樋の排水管部内において回転可能な幅を有して形成されていることを特徴とする支持部材。
【請求項１６】
請求項１１、１３又は１４記載の支持部材であって、下端部に略円弧状に形成された係合部を有すると共に、胴体部に長孔を有する取付位置調整部材と、前記骨組材に掛けられる略Ｕ字状の係止具及び該係止具と結合して該骨組材を抱持する固定片からなる係止部材と、前記取付位置調整部材の長孔に、該長孔に沿って相対的に移動可能に挿通され、取付位置調整部材と係止部材とを連結する連結部材とを備えて構成されていることを特徴とする支持部材。
【発明の詳細な説明】
【０００１】
【産業上の利用分野】
本発明は、ビニールハウスなど、温室のシート内面に発生した結露を回収し、排水処理するための結露排水装置に関する。
【０００２】
【従来の技術】
ハウス栽培では、温室のシート内面に発生した結露が水滴となって土壌へ落下すると、栽培植物に対して、成育不良や品質低下等の悪影響を及ぼすことから、かかる結露水が土壌に落下する前に、これを回収して排水処理することができることが望まれており、例えば、実公平２−１２８６３号公報、実登３０３０３０４号公報、実登３０４１４１７号公報、特開平８−３０８３９４号公報等に種々の結露排水手段が開示されている。これらの手段は、いずれも結露水を回収するための樋（結露受け部）と、温室のシートを固定するためのシート止め材とが一体的に形成されたものである。一方、このような一体型ではなく、結露水回収用の樋をシート止め材の下方に吊り下げて使用する吊り下げ式のものも市販されている。
【０００３】
【発明が解決しようとする課題】
しかしながら、上記した一体型の装置では、結露水回収用の樋とシート止め材とが一体的に形成されているため、これらの装置を既存の温室に取り付ける場合には、既に架設されているシート止め材を取り外す必要があり、後付けするには、多大の手間と時間を要し困難である。一方、吊り下げ式の装置では、既存の温室に対して後付けが可能であるものの、結露水回収用の樋を吊り下げ支持する支持部材が、樋をその背面側から支持するものであるため、樋と係合して支持する部位の形状が当該樋の背面側形状に適合したものでなければならない。そのため、背面側形状が異なる樋には適用できず、また、略筒状の排水管部から突出する突出片を有する樋のような特殊形状の樋には適用できないという問題があった。
【０００４】
本発明は、上記した点に鑑みなされたものであり、既存の温室に対して容易に後付けすることができる結露排水装置を提供することを課題とする。また、略筒状の排水管部を有する樋であれば、その背面側形状に拘わらず、かつ特殊形状のものでも適用可能な支持部材を備えた結露排水装置を提供することを課題とする。また、本発明は、結露排水装置に用いられる樋を容易に取り付けることができると共に、略筒状の排水管部を有する樋であれば、その背面側形状に拘わらず、かつ特殊形状のものでも適用可能な支持部材を提供することを課題とする。
【０００５】
【課題を解決するための手段】
上記課題を解決するため、請求項１に記載の本発明の結露排水装置は、
上部に開口部を有する略筒状の排水管部を有し、温室のシートを固定するシート止め材の下方に配設される樋と、
前記シート止め材が架設される骨組材に係止されると共に、前記樋の排水管部の内周に係合して該樋を支持する支持部材と、
前記樋により回収された結露水を排水処理する手段と
を具備することを特徴とする。
【０００６】
請求項２に記載の本発明の結露排水装置は、
上部に開口部を有する略筒状の排水管部を有し、温室のシートを固定するシート止め材の下方に配設される樋と、
前記シート止め材に係止されると共に、前記樋の排水管部の内周に係合して該樋を支持する支持部材と、
前記樋により回収された結露水を排水処理する手段と
を具備することを特徴とする。
【０００７】
請求項３に記載の本発明の結露排水装置は、請求項１記載の結露排水装置であって、前記樋は、さらに、所定の幅を有し、前記樋の排水管部の一方の上縁部から屈曲して、上方へ傾斜して延在する第１の傾斜片と、該第１の傾斜片の幅よりも小さい幅を有し、前記樋の排水管部の他方の上縁部から屈曲して、上方へ傾斜して延在する第２の傾斜片とを備えて構成されていることを特徴とする。
【０００８】
請求項４に記載の本発明の結露排水装置は、請求項２記載の結露排水装置であって、前記樋は、さらに、所定の幅を有し、前記樋の排水管部の一方の上縁部から屈曲して、上方へ傾斜して延在する第１の傾斜片と、該第１の傾斜片の幅よりも小さい幅を有し、前記樋の排水管部の他方の上縁部から屈曲して、上方へ傾斜して延在する第２の傾斜片とを備えて構成されていることを特徴とする。
【０００９】
請求項５に記載の本発明の結露排水装置は、請求項３記載の結露排水装置であって、前記支持部材は、鋼線を螺旋状に巻いて形成され、前記樋の排水管部に係合する係合部と、該係合部の一端から前記樋の第１の傾斜片に沿うように直線状に延長すると共に、中途で折り曲げられ、さらに、先端部が湾曲した形状に形成され、前記骨組材に係止される第１の係止部と、前記係合部の他端から前記樋の第２の傾斜片に沿うように直線状に延長すると共に、先端部が湾曲した形状に形成され、前記骨組材に係止される第２の係止部とを備えて構成されていることを特徴とする。
【００１０】
請求項６に記載の本発明の結露排水装置は、請求項２又は４記載の結露排水装置であって、前記支持部材は、鋼線を螺旋状に巻いて形成され、前記樋の排水管部に係合する係合部を有する係合用部材と、該係合用部材が連結されると共に、前記シート止め材に係止される係止用部材とを備えて構成されていることを特徴とする。
【００１１】
請求項７に記載の本発明の結露排水装置は、請求項５又は６記載の結露排水装置であって、前記支持部材の係合部が、前記樋の排水管部内において回転可能な幅を有して形成されていることを特徴とする。
【００１２】
請求項８に記載の本発明の結露排水装置は、請求項１、３又は５記載の結露排水装置であって、前記支持部材は、下端部に略円弧状に形成された係合部を有すると共に、胴体部に長孔を有する取付位置調整部材と、前記骨組材に掛けられる略Ｕ字状の係止具及び該係止具と結合して該骨組材を抱持する固定片からなる係止部材と、前記取付位置調整部材の長孔に、該長孔に沿って相対的に移動可能に挿通され、取付位置調整部材と係止部材とを連結する連結部材とを備えて構成されていることを特徴とする。
【００１３】
請求項９に記載の本発明の結露排水装置は、請求項１〜８のいずれか１に記載の結露排水装置であって、前記排水処理手段は、排水口及びこれに連通する排水ノズルを有するジョイント部材と、該ジョイント部材の排水ノズルに取り付けられる排水ホースとを備えて構成されていることを特徴とする。
【００１４】
請求項１０に記載の本発明の支持部材は、結露排水装置に用いられ、上部に開口部を有する略筒状の排水管部を有する樋の支持部材であって、温室のシートを固定するシート止め材に係止されると共に、前記樋の排水管部の内周に係合して該樋を支持することを特徴とする。
【００１５】
請求項１１に記載の本発明の支持部材は、結露排水装置に用いられ、上部に開口部を有する略筒状の排水管部を有する樋の支持部材であって、温室のシートを固定するシート止め材が架設される骨組材に係止されると共に、前記樋の排水管部の内周に係合して該樋を支持することを特徴とする。
【００１６】
請求項１２に記載の本発明の支持部材は、請求項１０記載の支持部材であって、鋼線を螺旋状に巻いて形成され、前記樋の排水管部に係合する係合部を有する係合用部材と、該係合用部材が連結されると共に、前記シート止め材に係止される係止用部材とを備えて構成されていることを特徴とする。
【００１７】
請求項１３に記載の本発明の支持部材は、結露排水装置に用いられ、上部に開口部を有する略筒状の排水管部と、所定の幅を有し、前記排水管部の一方の上縁部から屈曲して、上方へ傾斜して延在する第１の傾斜片と、該第１の傾斜片の幅よりも小さい幅を有し、前記排水管部の他方の上縁部から屈曲して、上方へ傾斜して延在する第２の傾斜片とを備えて構成される樋の支持部材であって、温室のシートを固定するシート止め材が架設される骨組材に係止されると共に、前記樋の排水管部の内周に係合して該樋を支持することを特徴とする。
請求項１４に記載の本発明の支持部材は、請求項１３記載の支持部材であって、鋼線を螺旋状に巻いて形成され、前記樋の排水管部に係合する係合部と、該係合部の一端から前記樋の第１の傾斜片に沿うように直線状に延長すると共に、中途で折り曲げられ、さらに、先端部が湾曲した形状に形成され、前記骨組材に係止される第１の係止部と、前記係合部の他端から前記樋の第２の傾斜片に沿うように直線状に延長すると共に、先端部が湾曲した形状に形成され、前記骨組材に係止される第２の係止部とを備えて構成されていることを特徴とする。
請求項１５に記載の本発明の支持部材は、請求項１２又は１４記載の支持部材であって、前記係合部が、前記樋の排水管部内において回転可能な幅を有して形成されていることを特徴とする。
請求項１６に記載の本発明の支持部材は、請求項１１、１３又は１４記載の支持部材であって、下端部に略円弧状に形成された係合部を有すると共に、胴体部に長孔を有する取付位置調整部材と、前記骨組材に掛けられる略Ｕ字状の係止具及び該係止具と結合して該骨組材を抱持する固定片からなる係止部材と、前記取付位置調整部材の長孔に、該長孔に沿って相対的に移動可能に挿通され、取付位置調整部材と係止部材とを連結する連結部材とを備えて構成されていることを特徴とする。
【００１８】
【発明の実施の形態】
以下、本発明の実施の形態を図面に基づいて詳細に説明する。
図１は、本発明の第１の実施の形態に係る結露排水装置１の使用状態を示す図である。図示したように、この結露排水装置１は、樋２、支持部材３、排水処理手段４を有して構成され、樋２がシート止め材１１０の下方に吊り下げられて使用される吊り下げ式の装置に係るものである。
【００１９】
樋２は、図２に示したように、排水管部２１と、第１及び第２の傾斜片２２，２３を有して構成される。排水管部２１は、上部に開口部を有する略筒状に形成されている。第１の傾斜片２２は、所定の幅を有し、排水管部２１の一方の上縁部２１ａから外方に屈曲して、かつ上方へ傾斜して延在するように形成されている。第２の傾斜片２３は、第１の傾斜片２２の幅よりも小さい幅を有し、排水管部２１の他方の上縁部２１ｂから外方に屈曲して、かつ上方へ傾斜して延在するように形成されている。この樋２は、所定の長さを有する一枚の薄い板材を曲げ加工して形成されたものであり、かかる板材としては、アルミ板を用いることが好ましい。なお、樋２は、所定の長さに形成され、後述するジョイント部材４１により複数連結されて使用される。
【００２０】
支持部材３は、図３に示したように、係合部３１と、第１及び第２の係止部３２，３３を有して構成される。係合部３１は、鋼線３ａを螺旋状に巻いて筒状に形成されている。なお、係合部３１は、その外径が、上記した樋２の排水管部２１の内径よりも若干小さく形成されている。第１の係止部３２は、係合部３１の一端３１ａから上記した樋２の第１の傾斜片２２に沿うように直線状に延長すると共に、中途で、図３（ａ）において上方に向かって略直角に折り曲げられ、さらに、先端部３２ａが係合部３１の他端３１ｂ側に向かって湾曲した形状（略Ｕ字状）に形成されている。第２の係止部３３は、係合部３１の他端３１ｂから上記した樋２の第２の傾斜片２３に沿うように直線状に延長すると共に、先端部３３ａが係合部３１の一端３１ａ側に向かって湾曲した形状（略Ｕ字状）に形成されている。この支持部材３は、一本の鋼線３ａから形成することができるため、加工が容易である。
【００２１】
排水処理手段４は、図１に示したように、ジョイント部材４１と排水ホース４２を有して構成される。ジョイント部材４１は、図４に示したように、略中央に位置し、底部に排水口４１２が形成された集水部４１１と、該集水部４１１の底部から下方へ突出して形成され、かつ排水口４１２と連通する排水ノズル４１３と、それぞれ上記した樋２を抱持可能な形状に形成され、集水部４１１の両側に配設された抱持部４１４とを有して構成されている。排水ホース４２は、ジョイント部材４１の排水ノズル４１３に取り付けられ、上記した樋２により回収され、排水口４１２から排出される結露水を、温室外に設置された雨樋や地面、排水路等の排水場所へと導くよう配設されている。
【００２２】
上記した各部材から構成される結露排水装置１は、図１に示したように、パイプ材や鋼材等から形成される温室の天井部の骨組材１００に固定部材１２０により架設されたシート止め材１１０の下方に、結露水を回収するための樋２が配設されて使用される。
【００２３】
具体的には、樋２は、シート止め材１１０とほぼ同じ長さとなるよう、ジョイント部材４１により複数連結されて用いられる。この場合、図５に示したように、連結される樋２の端部間には、集水部４１１内に突出している突起４１１ａ（図４（ａ）参照）が位置することになり、該樋２の端部間には隙間が形成される。従って、各樋２により回収された結露水は、その隙間からジョイント部材４１の排水口４１２へと流れ出る。
【００２４】
そして、このように連結された樋２は、所定の間隔をおいて配設される支持部材３によってシート止め材１１０の配設方向に沿って配設される。この場合、支持部材３は、図６に示したように、第１の係止部３２が樋２の第１の傾斜片２２側に、第２の係止部３３が樋２の第２の傾斜片３３側に、それぞれ配置されるよう、筒状の係合部３１を樋２の排水管部２１内に挿入して配置する。これにより、少なくとも係合部３１の外周における両側上部が、樋２を構成する排水管部２１の内周における両側上部に接触して、該係合部３１が樋２の排水管部２１に係合する。また、第１の係止部３２の先端部３２ａと第２の係止部３３の先端部３３ａを、両者間に、シート止め材１１０の固定部材１２０を挟むようにして、骨組材１００に引っかけて係止させる。これにより、樋２は、排水管部２１の上部に形成された開口部が、シート止め材１１０の２つの屈曲部１１０ａ，１１０ｂのうち、低位置側の屈曲部（第２屈曲部）１１０ｂのほぼ真下に位置して配設される。
【００２５】
上記のように配設される支持部材３によって支持された樋２は、排水管部２１の内径よりも若干小さい外径を有する筒状に形成された支持部材３の係合部３１が、排水管部２１の内周に係合し、また、第１及び第２の係止部３２，３３が、固定部材１２０を挟んで、骨組材１００に対して、２点で係止していることから、ほとんどガタを生じることなく、しっかりと係合される。このため、樋２は、風等による外力を受けても揺動し難く、脱落し難くなっている。
【００２６】
また、図６に示したように、支持部材３の第２の係止部３３は、骨組材１００に係止させる際に、固定部材１２０に近接する方向に変形して係止されるため、該第２の係止部３３に、原形に復帰しようとする、骨組材１００に密着する方向の力Ｆが生じる。これにより、樋２は、より安定して設置される。
【００２７】
また、樋２をシート止め材１１０の下方に配設するに当たり、既存の温室に既に架設されているシート止め材１２０を取り外す必要がなく、樋２の排水管部２１に係合する支持部材３の第１及び第２の係止部３２，３３を骨組材１００に引っかけるだけの簡単な作業で、樋２をシート止め材１１０の下方に配設することができ、既存の温室に対する後付け作業が極めて容易である。
【００２８】
また、支持部材３は、従来のように結露水回収用の樋をその背面側から支持するのではなく、樋２の排水管部の内周に係合して支持するものであるため、樋の背面側形状に拘わらず樋を吊り下げ支持可能であり、また、本実施形態の樋２のように略筒状の排水管部２１から突出する突出片（第１及び第２の傾斜片２２，２３）を有する特殊形状のものであっても吊り下げ支持することが可能であり、従来のものよりも汎用性を有する。
【００２９】
そして、図７に示したように、例えば、温室の天井部を被覆するシート１３０の内面に発生した結露２００は、水滴となって、図上、矢印で示したように、シート１３０の内面を伝ってシート止め材１１０へと流下し、さらに、シート止め材１１０の側面部１１０ｃ、第１屈曲部１１０ａ、底面部１１０ｄを伝って流下して、シート止め材１１０の第２屈曲部１１０ｂ付近から樋２へと落下する。
【００３０】
樋２は、排水管部２１の上部が開口して形成され、該開口部がシート止め材１１０の第２屈曲部１１０ｂのほぼ真下に位置して配設されているため、上記のように落下する結露水を確実に捕捉して、回収することができる。
【００３１】
また、樋２は、第１の傾斜片２２が所定の幅（シート止め材１１０の底面部１１０ｄから落下する結露水を捕捉可能な幅）を有して形成され、該第１の傾斜片２２がシート止め材１１０の底面部１１０ｄのほぼ真下に位置して配設されているため、シート止め材１１０の底面部１１０ｄの中程から落下する結露水も回収することができる。
【００３２】
さらに、樋２は、肉厚の薄いアルミ板から形成され、支持部材３により殆ど揺動することなく安定して設置されていることから、雨風等により温室の天井部が多少変形した場合でも、それに追従して、シート止め材１１０に対する位置関係をほぼ一定に保つことができる。従って、このような場合でも、シート止め材１１０から落下する結露水を回収することが可能である。
【００３３】
また、樋２は、第１及び第２の傾斜片２２，２３が、排水管部２１の両側上縁部２１ａ，２１ｂから各々屈曲して、上方へ傾斜して延在しているため、結露水が多量の場合でも、その結露水が樋２から溢れ出にくくなっており、この点でも、樋２は結露水の回収性・集水性に優れている。
【００３４】
さらに、支持部材３の係合部３１が樋２の排水管部２１の内周に係合することにより樋２を吊り下げ支持しているため、樋２の排水管部２１内にゴミが入った場合でも、そのゴミが結露水の流れに伴ってジョイント部材４１の排水口４１２へと流れ行くのを支持部材３の係合部３１により排水口４１２の手前で引き止めることが可能であり、ゴミによる排水口４１２の詰まりを防止することができる。
【００３５】
上記のように樋２へ落下した結露水は、樋２の排水管部２１を通じて、樋２を連結するジョイント部材４１へと流れていき、ジョイント部材４１に連結された樋２同士の間の隙間からジョイント部材４１の排水口４１２へと流れ出て、該排水口４１２から、これに連通する排水ノズル４１３に取り付けられた排水ホース４２を通じて、所定の排水場所へ排出される。このように結露排水装置１によれば、シート１３０の内面に発生した結露２００が水滴となって土壌に落下する前に、これを確実に回収して、所定の排水場所に排水処理することができる。
【００３６】
図８は、本発明の第２の実施の形態に係る結露排水装置１’を示す図である。この図に示したように、本実施の形態に係る結露排水装置１’も上記した第１の実施の形態と同様に、樋２、支持部材３’及び排水処理手段（図示省略）を有して構成されるが、このうち支持部材３’が第１の実施の形態と異なる。すなわち、本実施形態の支持部材３’は、係合用部材３１’と係止用部材３２’を有して構成されている。
【００３７】
係合用部材３１’は、図８及び図９に示したように、鋼線３ａ’を螺旋状に巻いて筒状に形成された係合部３１’ａを有して構成される。係合部３１’ａは、樋２の排水管部２１の内径よりも若干小さい外径を有すると共に、樋２の排水管部２１内において回転し得る幅Ｄ（図９（ｃ）参照）を有して形成されている。このように係合部３１’ａの幅Ｄが調整されることにより、図１０（ａ）に示したように、係合部３１’ａを樋２の排水管部２１の上部開口部から排水管部２１内に挿入し、その後、図１０（ｂ）に示したように、係合用部材３１’を所定角度回転させるだけで、係合部３１’ａを樋２の排水管部２１の内周に係合させることができ、樋２の取り付けを容易なものとすることができる。なお、上記した第１の実施の形態における支持部材３も、このように係合部３１の幅が調整されることが好ましい。
【００３８】
係止用部材３２’は、図８及び図１１に示したように、係止部３２１’と連結片３２２’を有して構成されており、係止部３２１’は、シート止め材１１０の両側面部１１０ｃ，１１０ｄにそれぞれ当接して、該シート止め材１１０を挟持し得るように曲成された挟持片３２１’ａ，３２１’ｂを有し、連結片３２２’は、係止部３２１’の底面部３２１’ｃの端縁から下方に屈曲して形成されると共に、連結具３２２’ａを備えて構成されている。
【００３９】
かかる係止用部材３２’は、その連結片３２２’に、上記した係合用部材３１’が連結具３２２’ａによって連結されると共に、その係止部３２１’を構成する挟持片３２１’ａ，３２１’ｂによってシート止め材１１０を挟持することにより、該シート止め材１１０に係止される。
【００４０】
上記した構成の支持部材３’によっても、簡単な作業で、樋２をシート止め材１１０下方に配設することができ、既存の温室に対する後付け作業を極めて容易とすることができる。また、支持部材３’は、図８に示したように、係合用部材３１’の係合部３１’ａの両端から延長する部位３１’ｂ，３１’ｂが、それぞれ、樋２の第１及び第２の傾斜片２２，２３との間に所定の距離を置いて配置され、樋２の取付角度をある程度変更しても、当該部位３１’ｂ，３１’ｂと第１及び第２の傾斜片２２，２３が互いにぶつかり合うことがないため、樋２の取付角度を適宜調整することができる。
【００４１】
図１２は、本発明の第３の実施の形態に係る結露排水装置１”を示す図である。この図に示したように、本実施形態に係る結露排水装置１”も、上記した第１及び第２の実施の形態と同様に、樋２、支持部材３”及び排水処理手段４を有して構成されるが、このうち支持部材３”が第１及び第２の実施の形態と異なる。すなわち、本実施形態の支持部材３”は、取付位置調整部材３１０、係止部材３２０及び連結部材３３０を有して構成されている。
【００４２】
取付位置調整部材３１０は、下端部に略円弧状に形成された係合部３１１を有すると共に、胴体部に穿設された長孔３１２を有して構成され、樋２を構成する排水管部２１の内周における両側上部に、係合部３１１の外周が接触するように、該係合部３１１を排水管部２１に係合させて、該排水管部２１に対して略垂直方向に起立した姿勢で配設される。
【００４３】
係止部材３２０は、図１３に示したように、略Ｕ字状の係止具３２１と、略Ｌ字状の固定片３２２とを有して構成される。係止具３２１は、その内周部を骨組材１００の上部外周に当接させて、骨組材１００に取り付けられた固定部材１２０よりも下方に位置する側に掛けられる。また、固定片３２２の一片３２２ａには、２つの孔部が形成されており、この孔部に、係止具３２１の端部３２１ａ，３２１ａを挿通し、該端部３２１ａ，３２１ａにナット３２３を螺合して、骨組材１００を係止具３２１と該固定片３２２の一片３２２ａとの間で抱持している。また、固定片３２２の、一片３２２ａに対し略直交する方向に折り曲げられて形成された他片３２２ｂは、上記した取付位置調整部材３１０に接して配置され、連結部材３３０により、該取付位置調整部材３１０に連結される。
【００４４】
連結部材３３０は、ボルト３３１とナット３３２からなり、ボルト３３１を取付位置調整部材３１０の長孔３１２及び固定片３２２の他片３２２ｂに形成された孔部に挿通し、固定片３２２の他片３２２ｂから突出した部位にナット３３２を螺合して締め付けることにより、取付位置調整部材３１０と係止部材３２０とを連結する。
【００４５】
上記した構成の支持部材３”によれば、連結部材３３０（ボルト３３１及びナット３３２）を緩めて、ボルト３３１を取付位置調整部材３１０の長孔３１２に沿って相対的に移動させ（係止部材３２０に対する取付位置調整部材３１０の取付位置を上下方向に移動させ）、再度、ボルト３３１とナット３３２を螺合させ締め付けることにより、樋２がシート止め材１１０から落下する結露水を的確に捕捉し回収し得るように、樋２の取付位置を適宜調整することができる。また、この支持部材３”によっても、取付位置調整部材３１０の係合部３１１が樋２の排水管部２１の内周にしっかりと係合されるため、支持部材３からの樋２の脱落を防止することができる。また、係止具３２１と固定片３２２との結合により、係止部材３２０が骨組材１００に強固に係止され、かつ該係止部３２０が連結具３３０により取付位置調整部材３１０に連結されているため、樋２の揺動をも防止して、樋２を安定して設置することができる。
【００４６】
【発明の効果】
以上説明したように、本発明の結露排水装置は、上部に開口部を有する略筒状の排水管部を有し、温室のシートを固定するシート止め材の下方に配設される樋と、前記シート止め材又は該シート止め材が架橋される骨組材のいずれか一方に係止されると共に、前記樋の排水管部の内周に係合して該樋を支持する支持部材と、前記樋により回収された結露水を排水処理する手段とを具備して構成されている。従って、既存の温室に対して容易に後付けすることができる。また、略筒状の排水管部を有する樋であれば、その背面側形状に拘わらず、かつ特殊形状のものでも吊り下げ支持可能である。また、樋の揺動・脱落を防止して、樋を安定して設置することができる。また、温室のシート内面に発生した結露が水滴となって土壌に落下する前に、これを確実に回収して、所定の排水場所に排水処理することができ、さらに、結露水の回収性・集水性に優れている。
【００４７】
また、本発明の支持部材は、結露排水装置に用いられる樋の支持部材であって、温室のシートを固定するシート止め材又は該シート止め材が架設される骨組材のいずれか一方に係止されると共に、前記樋の排水管部の内周に係合して該樋を支持することができる。従って、結露排水装置に用いられる樋を容易に取り付けることができると共に、略筒状の排水管部を有する樋であれば、その背面側形状に拘わらず、かつ特殊形状のものでも適用可能である。
【図面の簡単な説明】
【図１】図１は、本発明の第１の実施の形態に係る結露排水装置の使用状態を示す図である。
【図２】図２は、樋の断面図である。
【図３】図３は、本発明の第１の実施形態における支持部材を示す図であり、（ａ）は正面図、（ｂ）は底面図、（ｃ）は右側面図である。
【図４】図４は、ジョイント部材を示す図であり、（ａ）は平面図、（ｂ）は正面図、（ｃ）は右側面図である。
【図５】図５は、樋の連結状態を示す図である。
【図６】図６は、樋の配設状態を示す図である。
【図７】図７は、結露排水装置の作用を説明するための図である。
【図８】図８は、本発明の第２の実施の形態に係る結露排水装置を示す図である。
【図９】図９は、本発明の第２の実施の形態における支持部材を構成する係合用部材を示す図であり、（ａ）は平面図、（ｂ）は正面図、（ｃ）は右側面図である。
【図１０】図１０は、本発明の第２の実施の形態における支持部材の作用を説明するための図である。
【図１１】図１１は、本発明の第２の実施の形態における支持部材を構成する係止用部材を示す斜視図である。
【図１２】図１２は、本発明の第３の実施の形態に係る結露排水装置を示す図である。
【図１３】図１３は、本発明の第３の実施の形態における支持部材を示す図である。
【符号の説明】
１  結露排水装置
２  樋
２１  排水管部
２２  第１の傾斜片
２３  第２の傾斜片
３  支持部材
３１  係合部
３２  第１の係止部
３３  第２の係止部
４  排水処理手段
４１  ジョイント部材
４１１  集水部
４１２  排水口
４１３  排水ノズル
４１４  抱持部
４２  排水ホース
【図１】
0004603674.tif 000002
【図２】
0004603674.tif 000003
【図３】
0004603674.tif 000004
【図４】
0004603674.tif 000005
【図５】
0004603674.tif 000006
【図６】
0004603674.tif 000007
【図７】
0004603674.tif 000008
【図８】
0004603674.tif 000009
【図９】
0004603674.tif 000010
【図１０】
0004603674.tif 000011
【図１１】
0004603674.tif 000012
【図１２】
0004603674.tif 000013
【図１３】
0004603674.tif 000014